(57)【要約】【課題】非接触式タッチスイッチ構造及び交流電源取得モジュールの提供。【解決手段】非接触式タッチスイッチ構造は、人体アドバンス媒体(human body advanced medium)感知方式により、制御電子回路は交流スイッチ電源に対して正確に切り替えを行い、外蓋板１、マイクロコンピューターコントロール電子回路２、媒体転換インターフェース３、起動スイッチ４、電源切断器５を備え、電源切断器５はマイクロコンピューターコントロール電子回路２と起動スイッチ４の制御接点の間に接続し、スイッチ電源線により一般の市内電源と直接接続し電源を取得し、整流電圧安定を経て、内部電子回路の正常な運転を確保し、こうして組み立て後のスイッチは別に電池を設置する必要なく、市内電源と接続すれば正常な作動が可能で、内部電子回路はさらに独立した交流電源取得モジュール、或いは集積回路チップ(CHIP)とし、これにより様々な電子回路に応用することができる。【選択図】図２
0003149805.tif 000002
【実用新案登録請求の範囲】
【請求項１】
人体媒体感知方式により、制御電子回路は交流スイッチ電源に対して正確に切り替えを行い、
前記非接触式タッチスイッチ構造は、外蓋板、マイクロコンピューターコントロール電子回路、媒体転換インターフェース、起動スイッチ、電源切断器を備え、
前記外蓋板は、スイッチ電源線出口に対応して設置し、
前記マイクロコンピューターコントロール電子回路は、前記外蓋板の内側に設置し、
前記媒体転換インターフェースは、前記外蓋板の上に設置し、前記マイクロコンピューターコントロール電子回路に内接し、
前記起動スイッチは、一端が前記マイクロコンピューターコントロール電子回路と接続し、反対端には、制御接点を設置し、交流スイッチ電源線と接続し、それが接続する電気設備等の電気設備の通電タイミングを制御し、
前記電源切断器は、前記マイクロコンピューターコントロール電子回路と前記起動スイッチの制御接点の間に接続し、交流スイッチ電源線により、一般の市内電源と直接接続し電源を取得し、交流同期整流電圧安定を経て、内部電子回路の正常な運転を確保し、
こうして組み立て後のスイッチは別に電池を設置する必要なく、市内電源と接続すれば正常な作動が可能であることを特徴とする非接触式タッチスイッチ構造。
【請求項２】
請求項１記載の非接触式タッチスイッチ構造において、前記マイクロコンピューターコントロール電子回路上には、機械式スイッチの切り替え音を模倣した音を発するブザーを設置することを特徴とする非接触式タッチスイッチ構造。
【請求項３】
請求項１記載の非接触式タッチスイッチ構造において、前記媒体転換インターフェースは、非導電性基板、及びその底に設置するエッチング電子回路板により構成することを特徴とする非接触式タッチスイッチ構造。
【請求項４】
請求項１記載の非接触式タッチスイッチ構造において、前記マイクロコンピューターコントロール電子回路には、オーバーロード探知ユニットを設置し、
前記マイクロコンピューターコントロール電子回路は、測定リニア電子回路、非リニア補償電子回路、フェーズ比較ロジックゲート、MCUマイクロコントローラーにより蘇生し、
前記測定リニア電子回路前端は、前記媒体転換インターフェースと接続し、後端は、前記非リニア補償電子回路及び前記フェーズ比較ロジックゲートとそれぞれ接続し、
前記MCUマイクロコントローラーの一端は、前記非リニア補償電子回路と接続し、反対端は、前記起動スイッチと接続し、
前記起動スイッチはゼロフェーズ触発起動を行い、
前記電源切断器は、前記MCUマイクロコントローラーと前記起動スイッチの制御接点との間に設置することを特徴とする非接触式タッチスイッチ構造。
【請求項５】
請求項４記載の非接触式タッチスイッチ構造において、前記電源切断器は、起動スイッチ制御接点入力端上に、電流拡大変圧器を直列接続し、次に、ブリッジ式整流電子回路及び電圧安定ダイオード、及び前記MCUマイクロコントローラーのピンと接続し、給電回路を形成することを特徴とする非接触式タッチスイッチ構造。
【請求項６】
請求項４記載の非接触式タッチスイッチ構造において、前記電源切断器は、起動スイッチ制御接点入力端上に、複数のダイオードを直列接続し、その両端上には、バックワードダイオードを並列接続し、中間の接点には、分圧ダイオードを設置し、電圧安定ICを接続し、前記電圧安定ICの両辺にはそれぞれ１個のキャパシタを並列接続し、前記MCUマイクロコントローラーのピンと給電回路を形成することを特徴とする非接触式タッチスイッチ構造。
【請求項７】
請求項６記載の非接触式タッチスイッチ構造において、前記電源切断器は、フィールド効果トランジスターを増設し、集積回路を構成し、前記フィールド効果トランジスターのソース極とドレイン極は、前記複数のダイオードの両端にそれぞれ接続し、ゲート極は、前記MCUマイクロコントローラーの別のピンに接続することを特徴とする非接触式タッチスイッチ構造。
【請求項８】
請求項４或いは請求項６或いは請求項７に記載の非接触式タッチスイッチ構造において、前記内部電子回路中のマイクロコンピューターコントロール電子回路、起動スイッチ、電源切断器は独立したモジュールとして製造可能で、或いは集積回路チップに製造し、これにより各種異なる電子回路に応用することができ、別に電池を設置しなくても、市内電源に接続し正常な作動を維持することを特徴とする非接触式タッチスイッチ構造。
【請求項９】
請求項１記載の非接触式タッチスイッチ構造において、前記媒体転換インターフェース前方には、透明の絵図シート設置区を設置し、これにより絵図シートを設置することを特徴とする非接触式タッチスイッチ構造。
【請求項１０】
請求項９記載の非接触式タッチスイッチ構造において、前記絵図シート設置区は、前記外蓋板中央の陥没した階段状貫通窓中に設置し、前記絵図シート設置区前方には取り外し可能な透明シートを設置することを特徴とする非接触式タッチスイッチ構造。
【請求項１１】
請求項９記載の非接触式タッチスイッチ構造において、前記絵図シート外表側にラミネートフィルム層を直接設置し、後方は、背面接着剤により、前記媒体転換インターフェースの表面に直接粘着させることを特徴とする非接触式タッチスイッチ構造。
【請求項１２】
請求項９記載の非接触式タッチスイッチ構造において、前記絵図シート設置区は単方向開口の透明カバー体として構成することを特徴とする非接触式タッチスイッチ構造。
【考案の詳細な説明】
【技術分野】
【０００１】
本考案は非接触式タッチスイッチ構造に関し、特に人体アドバンス感知プログラム化処理(advanced programming induction)を経て、電池を装置しなくても自動的に同時に電源を切断することができるため、大幅に体積を縮小可能で、これにより制御電子回路は交流スイッチ電源に対して正確に起動を行うことができ、しかもその内部の電子回路は独立し交流電力取得モジュールとし、或いは直接集積電子回路チップ(CHIP)とし、各種異なる電子回路に応用することができる非接触式タッチスイッチ構造に関する。
【背景技術】
【０００２】
キャパシタ式タッチスイッチは、主に簡単な接触感知コントローラーを実体の機械式スイッチに置換するものである。「非接触式」のコントローラーは、実体機械式スイッチのように、外部環境に露出していないため、摩損の心配がなく、信頼性を大幅に向上させることができる。しかもその内部には、機械式構造がないため耐久性を備え、設計の自由度が高く、接点部位の絶縁状態を維持し易いため、電気鍍金処理が不要である。
さらに、防水、防塵が容易である等の様々な長所を備えるため、より多くの応用領域に適用されるようになっている。
【０００３】  しかし、非接触式タッチスイッチの感度は、人体の媒体と周囲の電場の影響を受け易いため、これまでは主に低電圧直流のコントロールにのみ応用されて来た。だが、テクノロジーの進歩により技術が向上し、高圧交流のコントロールに使用するタッチスイッチも今では市販されており、インターネット上で（公序良俗違反につき、不掲載）が、既に製品を販売している。【０００４】
しかし、応用時には、やはり極めて重大な問題が存在する。すなわち、それは構造内部に、依然としてインチング接触スイッチを採用し、しかも組み立てた製品の底には、電池を設置しなければ安定的な給電を確保し、内部の制御電子回路に正常な作動を維持させることはできない。
このため、スイッチの体積は大きくならざるを得ず、コストも高く、しかも電子回路の作動を確保するために、ある程度の時間毎に電池を交換しなければならず、使用において非常に不便である。
さらに、交流電力を主要な電源とする他の各種電気製品或いは電子製品では、その電子回路の設計の応用においても、上記の欠点が存在する。
また、現在の電源スイッチは、機械式或いは電子式共に、出荷時に、そのデザイン、製品の外観は既に決まっており、随意に変更することはできないため、バラエティーに乏しく変化に欠ける。このため、様々なインテリアと釣り合わず、しかも、好みに応じて変えることもできず、オリジナリティを発揮することができない。
【考案の概要】
【考案が解決しようとする課題】
【０００５】
本考案の主要な目的は、人体アドバンス感知プログラム化処理(advanced programming induction)を経て、電池を装置しなくても自動的に同期に電源を切断することができるため、大幅に体積を縮小可能で、これにより制御電子回路は交流スイッチ電源に対して正確に起動を行うことができる非接触式タッチスイッチ構造を提供することである。
本考案の次の目的は、内部の電子回路は独立し交流電力取得モジュールとし、或いは直接集積電子回路チップ(CHIP)とし、各種異なる電子回路に応用することができる非接触式タッチスイッチ構造を提供することである。
本考案のもう一つの目的は、外側の絵図を自由に交換可能で、使用者は自身で外観を変化させ、自分の好みを反映させることができ、各種様々なインテリアと組み合わせて使用することができる非接触式タッチスイッチ構造を提供することである。
【課題を解決するための手段】
【０００６】
請求項１の考案は、人体媒体感知方式により、制御電子回路は交流スイッチ電源に対して正確に切り替えを行い、
前記非接触式タッチスイッチ構造は、外蓋板、マイクロコンピューターコントロール電子回路、媒体転換インターフェース、起動スイッチ、電源切断器を備え、
前記外蓋板は、スイッチ電源線出口に対応して設置し、
前記マイクロコンピューターコントロール電子回路は、前記外蓋板の内側に設置し、
前記媒体転換インターフェースは、前記外蓋板の上に設置し、前記マイクロコンピューターコントロール電子回路に内接し、
前記起動スイッチは、一端が前記マイクロコンピューターコントロール電子回路と接続し、反対端には、制御接点を設置し、交流スイッチ電源線と接続し、それが接続する電気設備等の電気設備の通電タイミングを制御し、
前記電源切断器は、前記マイクロコンピューターコントロール電子回路と前記起動スイッチの制御接点の間に接続し、交流スイッチ電源線により、一般の市内電源と直接接続し電源を取得し、交流同期整流電圧安定を経て、内部電子回路の正常な運転を確保し、
こうして組み立て後のスイッチは別に電池を設置する必要なく、市内電源と接続すれば正常な作動が可能であることを特徴とする非接触式タッチスイッチ構造としている。
請求項２の考案は、請求項１記載の非接触式タッチスイッチ構造において、前記マイクロコンピューターコントロール電子回路上には、機械式スイッチの切り替え音を模倣した音を発するブザーを設置することを特徴とする非接触式タッチスイッチ構造としている。
請求項３の考案は、請求項１記載の非接触式タッチスイッチ構造において、前記媒体転換インターフェースは、非導電性基板、及びその底に設置するエッチング電子回路板により構成することを特徴とする非接触式タッチスイッチ構造としている。
請求項４の考案は、請求項１記載の非接触式タッチスイッチ構造において、前記マイクロコンピューターコントロール電子回路には、オーバーロード探知ユニットを設置し、
前記マイクロコンピューターコントロール電子回路は、測定リニア電子回路、非リニア補償電子回路、フェーズ比較ロジックゲート、MCUマイクロコントローラーにより蘇生し、
前記測定リニア電子回路前端は、前記媒体転換インターフェースと接続し、後端は、前記非リニア補償電子回路及び前記フェーズ比較ロジックゲートとそれぞれ接続し、
前記MCUマイクロコントローラーの一端は、前記非リニア補償電子回路と接続し、反対端は、前記起動スイッチと接続し、
前記起動スイッチはゼロフェーズ触発起動を行い、
前記電源切断器は、前記MCUマイクロコントローラーと前記起動スイッチの制御接点との間に設置することを特徴とする非接触式タッチスイッチ構造としている。
請求項５の考案は、請求項４記載の非接触式タッチスイッチ構造において、前記電源切断器は、起動スイッチ制御接点入力端上に、電流拡大変圧器を直列接続し、次に、ブリッジ式整流電子回路及び電圧安定ダイオード、及び前記MCUマイクロコントローラーのピンと接続し、給電回路を形成することを特徴とする非接触式タッチスイッチ構造としている。
請求項６の考案は、請求項４記載の非接触式タッチスイッチ構造において、前記電源切断器は、起動スイッチ制御接点入力端上に、複数のダイオードを直列接続し、その両端上には、バックワードダイオードを並列接続し、中間の接点には、分圧ダイオードを設置し、電圧安定ICを接続し、前記電圧安定ICの両辺にはそれぞれ１個のキャパシタを並列接続し、前記MCUマイクロコントローラーのピンと給電回路を形成することを特徴とする非接触式タッチスイッチ構造としている。
請求項７の考案は、請求項６記載の非接触式タッチスイッチ構造において、前記電源切断器は、フィールド効果トランジスターを増設し、集積回路を構成し、前記フィールド効果トランジスターのソース極とドレイン極は、前記複数のダイオードの両端にそれぞれ接続し、ゲート極は、前記MCUマイクロコントローラーの別のピンに接続することを特徴とする非接触式タッチスイッチ構造としている。
請求項８の考案は、請求項４或いは請求項６或いは請求項７に記載の非接触式タッチスイッチ構造において、前記内部電子回路中のマイクロコンピューターコントロール電子回路、起動スイッチ、電源切断器は独立したモジュールとして製造可能で、或いは集積回路チップに製造し、これにより各種異なる電子回路に応用することができ、別に電池を設置しなくても、市内電源に接続し正常な作動を維持することを特徴とする非接触式タッチスイッチ構造としている。
請求項９の考案は、請求項１記載の非接触式タッチスイッチ構造において、前記媒体転換インターフェース前方には、透明の絵図シート設置区を設置し、これにより絵図シートを設置することを特徴とする非接触式タッチスイッチ構造としている。
請求項１０の考案は、請求項９記載の非接触式タッチスイッチ構造において、前記絵図シート設置区は、前記外蓋板中央の陥没した階段状貫通窓中に設置し、前記絵図シート設置区前方には取り外し可能な透明シートを設置することを特徴とする非接触式タッチスイッチ構造としている。
請求項１１の考案は、請求項９記載の非接触式タッチスイッチ構造において、前記絵図シート外表側にラミネートフィルム層を直接設置し、後方は、背面接着剤により、前記媒体転換インターフェースの表面に直接粘着させることを特徴とする非接触式タッチスイッチ構造としている。
請求項１２の考案は、請求項９記載の非接触式タッチスイッチ構造において、前記絵図シート設置区は単方向開口の透明カバー体として構成することを特徴とする非接触式タッチスイッチ構造としている。
【考案の効果】
【０００７】
本考案による組み立て後のスイッチは別に電池を設置する必要なく、市内電源と接続すれば正常な作動が可能で、内部電子回路はさらに独立した交流電源取得モジュール、或いは集積回路チップ(CHIP)とし、これにより様々な電子回路に応用することができる。
【図面の簡単な説明】
【０００８】
【図１】本考案の応用例図である。
【図２】本考案の電子回路ブロックチャートである。
【図３】本考案電源切断器の第一実施形態電子回路図である。
【図４】本考案電源切断器の第二実施形態電子回路図である。
【図５】本考案の第二実施形態において、電圧レベルを取り出す概略図である。
【図６】本考案電源切断器の第三実施形態電子回路図である。
【図７】本考案の第三実施形態において、電圧レベルを取り出す概略図である。
【図８】本考案ポケット式絵図シート設置区を設置する様子の立体分解図である。
【図９】本考案陥没絵図シート設置区を設置する様子の立体分解図である。
【図１０】本考案ラミネートフィルム絵図シートを直接接着する様子の立体分解図である。
【考案を実施するための形態】
【０００９】
図１から図１０に示すように、本考案一実施形態による非接触式タッチスイッチ構造は、人体アドバンス媒体(human body advanced medium)感知方式により、制御電子回路は交流スイッチ電源に対して正確に切り替えを行う。
本考案一実施形態による非接触式タッチスイッチ構造は、外蓋板１、マイクロコンピューターコントロール電子回路２、媒体転換インターフェース３、起動スイッチ４、電源切断器５を備える。
外蓋板１は、スイッチ電源線出口に対応して設置する。
マイクロコンピューターコントロール電子回路２は、外蓋板１の内側に設置する。
媒体転換インターフェース３は、外蓋板１の上に設置し、マイクロコンピューターコントロール電子回路２に内接する。
起動スイッチ４は、一端がマイクロコンピューターコントロール電子回路２と接続し、反対端には、制御接点４１を設置し、交流スイッチ電源線と接続し、それが接続する室内照明、屋外証明、或いは他の電力を使用する設備等の電気設備の通電タイミングを制御する。
電源切断器５は、マイクロコンピューターコントロール電子回路２と起動スイッチ４の制御接点４１の間に接続し、交流スイッチ電源線により、一般の市内電源と直接接続し電源を取得し、交流同期整流電圧安定を経て、内部電子回路の正常な運転を確保する。
こうして組み立て後のスイッチ体積を大幅に縮小することができ、別に電池を設置する必要なく、制御機能を発揮することができ、市内電源と接続すれば正常な作動が可能で、頻繁に電池を交換する面倒から開放され、スイッチ使用をより便利にすることができる。
【００１０】
本考案一実施形態による非接触式タッチスイッチ構造は、人体生物媒体感知方式を採用し電源スイッチを起動するため、人体を媒体とし、感知区に指で軽く触れるだけで、感知区内の媒体定数を変化させ、電子転換を経てスイッチを起動することができる。よって、その組み立て後の体積は小さく、動作は正確で信頼性が高く、内部の配線はシンプルで、自動的に交流電源を取得することができるため、電池を装置する必要がなく、また機械式接点もない。また、ゼロフェーズ触発起動方式を採用可能であるため、火花の発生を防止可能で、爆発防止と感電防止の機能をも備える。製品は、一般家庭或いは高級住宅のスイッチ内蔵化に適応し、インテリアと合わせて使用することができる。また公共の場所、海岸地帯等の空気中の塩分濃度が高い地域、或いは硫化物質による腐食の恐れが高い場所でも設置可能で、メンテナンスの費用を低下させることができる。さらに、病院や感染予防センター等の感染症の危険が高い環境に設置すれば、感染ルートを断ち切る効果を発揮可能で、或いは燃料庫、原油貯蔵槽、石油精錬工場等の危険性の高い場所に設置すれば、爆発防止効果を発揮し、公共の安全を増進することができる。
【００１１】
電子回路の安全措置をさらに強化するため、マイクロコンピューターコントロール電子回路２中にはオーバーロード探知ユニット２４を増設する。これにより電源切断器５とマイクロコンピューターコントロール電子回路２は、シンクロ機能を備える。起動スイッチ４の制御接点４１に通電すると同時に、オーバーロード探知ユニット２４は、オーバーオードが起きていないかどうかを瞬間的に検知し、設定した負荷値を超えているなら、マイクロコンピューターコントロール電子回路２は、オーバーロードの状況が排除されるまで、起動スイッチ４のプロセスを自動的に中断させる。このようにして、電子回路の使用上の安全を確保し、市販されている一般のスイッチのように、長時間のオーバーロードによる、電線が発火し、公共の安全を脅かす事態の発生を回避することができる。
【００１２】
実施時には、図１、２に示すように、媒体転換インターフェース３は、非導電性基板３１、その底に設置するエッチング電子回路板３２により構成する。
マイクロコンピューターコントロール電子回路２は細部に、測定リニア電子回路２１、非リニア補償電子回路２２、フェーズ比較ロジックゲート２３、MCUマイクロコントローラー２５を備える。測定リニア電子回路２１前端は、媒体転換インターフェース３と接続し、後端は、非リニア補償電子回路２２及びフェーズ比較ロジックゲート２３とそれぞれ接続する。MCUマイクロコントローラー２５の一端は、非リニア補償電子回路２２と接続し、反対端は、起動スイッチ４と接続する。起動スイッチ４はゼロフェーズ触発起動を行う。電源切断器５は、MCUマイクロコントローラー２５と起動スイッチ４の制御接点４１上に、対応して設置する。
マイクロコンピューターコントロール電子回路２にはさらにブザー６を設置し、スイッチが押されると、機械式スイッチの切り替えを模倣した音を発し、これにより使用者は操作時によりリアルな感覚を持つことができる。
【００１３】
図２から図７に示すように、本考案一実施形態による非接触式タッチスイッチ構造が設置する電源切断器５は、様々な形態が可能である。
図３に示す構造は、起動スイッチ４制御接点４１の入力端接点A、B上に電流拡大変圧器５１１を直列接続し、次に、ブリッジ式整流電子回路５１２、及びMCUマイクロコントローラー２５のピンと接続し、給電回路５２０を形成する。
図４、図５に示すように、本考案一実施形態による非接触式タッチスイッチ構造が設置する電源切断器５は、さらに別種の設計が可能である。それは、スイッチを起動する制御接点４１の入力端接点A、B上に、複数のダイオード５２１を直列接続し、その両端上には、バックワードダイオード５２２を並列接続し、中間の接点には、分圧ダイオード５２３を設置し、電圧安定ICを接続する。電圧安定ICの両辺にはそれぞれ１個のキャパシタ５２４を並列接続し、MCUマイクロコントローラー２５のピンと給電回路５２０を形成する。このようにして、図５に示す断面線部分のように、市内電源交流(AC)110Vから自動的に電圧を取得可能である。
図６、図７に示すように、上記した電源切断器５は、フィールド効果トランジスター５５を増設し、集積回路を構成する。フィールド効果トランジスター５５のソース極とドレイン極は、上記した複数のダイオード５２１の両端にそれぞれ接続し、ゲート極は、MCUマイクロコントローラー２５の別のピンに接続する。このようにして、電子回路全体は、省エネ効果を備える。取得する電圧は図７に示す断面線部分のようになり、上記した実施例に比べ、1/3の節電効果を備え、温度上昇を抑えることもできる。
【００１４】
本考案の実施時には、その外観は、一般のスイッチ規格のサイズ及び形状に製造することができる。これにより、一般の機械式スイッチを設置し、壁にスイッチの底台を保留し、本考案一実施形態による非接触式タッチスイッチ構造を、機械式スイッチの固定位置に代わりに嵌合することができる。これにより、スイッチはタッチ機能に変わり、その応用効果はより安全で便利となる。
さらに、図４から図７に示す、２種の実施形態の内部に設置する電子回路はすべて、交流電源取得モジュールを独立して製造する。或いは、集積回路チップ(CHIP)に製造し、これにより各種異なる電子回路に応用することができる。
【００１５】
図８から図１０に示すように、本考案一実施形態による非接触式タッチスイッチ構造において、その媒体転換インターフェース３の前方には、絵図シート設置区１５を設置し、これにより絵図シート１０を設置し、使用者は自身で外観を変化させ、自分の好みを発揮することができ、インテリアに合わせて使用することができる。
実施時には、絵図シート設置区１５は、以下の様々な構造により達成する。
図８では、絵図シート設置区１５は単方向開口の透明カバー体１６とし、使用者は好みに応じて、自身で選んだ絵図シート１０をそこに入れる。
図９では、絵図シート設置区１５を外蓋板１中央の陥没した階段状貫通窓１９中に設置し、絵図シート設置区１５前方には取り外し可能な透明シート１７を設置し、同様に自身で選んだ絵図シート１０を挟む。
図１０では、使用時に透明シート１７を用いず、絵図シート１０外表側にラミネートフィルム層１１を直接設置し、後方は、背面接着剤により、媒体転換インターフェース３の表面に直接粘着させ、同様に絵図シート１０を随時交換可能とすることができる。
【符号の説明】
【００１６】
１  外蓋板
１０  絵図シート
１１  ラミネートフィルム層
１５  絵図シート設置区
１６  透明カバー体
１７  透明シート
１９  貫通窓
２  マイクロコンピューターコントロール電子回路
２１  測定リニア電子回路
２２  非リニア補償電子回路
２３  フェーズ比較ロジックゲート
２４  オーバーロード探知ユニット
２５  MCUマイクロコントローラー
３  媒体転換インターフェース
３１  非導電性基板
３２  エッチング電子回路板
４  起動スイッチ
４１  制御接点
５  電源切断器
５１１  電流拡大変圧器
５１２  ブリッジ式整流電子回路
５１３  電圧安定ダイオード
５２０  給電
５２１  ダイオード
５２２  ダイオード
５２３  ダイオード
５２５  電圧安定IC
５２４  キャパシタ
５５  フィールド効果トランジスター
６  ブザー
【図１】
0003149805.tif 000003
【図２】
0003149805.tif 000004
【図３】
0003149805.tif 000005
【図４】
0003149805.tif 000006
【図５】
0003149805.tif 000007
【図６】
0003149805.tif 000008
【図７】
0003149805.tif 000009
【図８】
0003149805.tif 000010
【図９】
0003149805.tif 000011
【図１０】
0003149805.tif 000012
【手続補正書】
【提出日】平成21年2月5日(2009.2.5)
【手続補正１】
【補正対象書類名】明細書
【補正対象項目名】０００３
【補正方法】変更
【補正の内容】
【０００３】
しかし、非接触式タッチスイッチの感度は、人体の媒体と周囲の電場の影響を受け易いため、これまでは主に低電圧直流のコントロールにのみ応用されて来た。だが、テクノロジーの進歩により技術が向上し、高圧交流のコントロールに使用するタッチスイッチも今では市販されている。
【手続補正２】
【補正対象書類名】明細書
【補正対象項目名】０００６
【補正方法】変更
【補正の内容】
【０００６】
請求項１の考案は、人体媒体感知方式により、制御電子回路は交流スイッチ電源に対して正確に切り替えを行い、
外蓋板、マイクロコンピューターコントロール電子回路、媒体転換インターフェース、起動スイッチ、電源切断器を備え、
前記外蓋板は、スイッチ電源線出口に対応して設置し、
前記マイクロコンピューターコントロール電子回路は、前記外蓋板の内側に設置し、
前記媒体転換インターフェースは、前記外蓋板の上に設置し、前記マイクロコンピューターコントロール電子回路に内接し、
前記起動スイッチは、一端が前記マイクロコンピューターコントロール電子回路と接続し、反対端には、制御接点を設置し、交流スイッチ電源線と接続し、それが接続する電気設備等の電気設備の通電タイミングを制御し、
前記電源切断器は、前記マイクロコンピューターコントロール電子回路と前記起動スイッチの制御接点の間に接続し、交流スイッチ電源線により、一般の市内電源と直接接続し電源を取得し、交流同期整流電圧安定を経て、内部電子回路の正常な運転を確保し、
こうして組み立て後のスイッチは別に電池を設置する必要なく、市内電源と接続すれば正常な作動が可能であることを特徴とする非接触式タッチスイッチ構造としている。
請求項２の考案は、請求項１記載の非接触式タッチスイッチ構造において、前記マイクロコンピューターコントロール電子回路上には、機械式スイッチの切り替え音を模倣した音を発するブザーを設置することを特徴とする非接触式タッチスイッチ構造としている。
請求項３の考案は、請求項１記載の非接触式タッチスイッチ構造において、前記媒体転換インターフェースは、非導電性基板、及びその底に設置するエッチング電子回路板により構成することを特徴とする非接触式タッチスイッチ構造としている。
請求項４の考案は、請求項１記載の非接触式タッチスイッチ構造において、前記マイクロコンピューターコントロール電子回路には、オーバーロード探知ユニットを設置し、
前記マイクロコンピューターコントロール電子回路は、測定リニア電子回路、非リニア補償電子回路、フェーズ比較ロジックゲート、MCUマイクロコントローラーにより蘇生し、
前記測定リニア電子回路前端は、前記媒体転換インターフェースと接続し、後端は、前記非リニア補償電子回路及び前記フェーズ比較ロジックゲートとそれぞれ接続し、
前記MCUマイクロコントローラーの一端は、前記非リニア補償電子回路と接続し、反対端は、前記起動スイッチと接続し、
前記起動スイッチはゼロフェーズ触発起動を行い、
前記電源切断器は、前記MCUマイクロコントローラーと前記起動スイッチの制御接点との間に設置することを特徴とする非接触式タッチスイッチ構造としている。
請求項５の考案は、請求項４記載の非接触式タッチスイッチ構造において、前記電源切断器は、起動スイッチ制御接点入力端上に、電流拡大変圧器を直列接続し、次に、ブリッジ式整流電子回路及び電圧安定ダイオード、及び前記MCUマイクロコントローラーのピンと接続し、給電回路を形成することを特徴とする非接触式タッチスイッチ構造としている。
請求項６の考案は、請求項４記載の非接触式タッチスイッチ構造において、前記電源切断器は、起動スイッチ制御接点入力端上に、複数のダイオードを直列接続し、その両端上には、バックワードダイオードを並列接続し、中間の接点には、分圧ダイオードを設置し、電圧安定ICを接続し、前記電圧安定ICの両辺にはそれぞれ１個のキャパシタを並列接続し、前記MCUマイクロコントローラーのピンと給電回路を形成することを特徴とする非接触式タッチスイッチ構造としている。
請求項７の考案は、請求項６記載の非接触式タッチスイッチ構造において、前記電源切断器は、フィールド効果トランジスターを増設し、集積回路を構成し、前記フィールド効果トランジスターのソース極とドレイン極は、前記複数のダイオードの両端にそれぞれ接続し、ゲート極は、前記MCUマイクロコントローラーの別のピンに接続することを特徴とする非接触式タッチスイッチ構造としている。
請求項８の考案は、請求項４或いは請求項６或いは請求項７に記載の非接触式タッチスイッチ構造において、前記内部電子回路中のマイクロコンピューターコントロール電子回路、起動スイッチ、電源切断器は独立したモジュールとして製造可能で、或いは集積回路チップに製造し、これにより各種異なる電子回路に応用することができ、別に電池を設置しなくても、市内電源に接続し正常な作動を維持することを特徴とする非接触式タッチスイッチ構造としている。
請求項９の考案は、請求項１記載の非接触式タッチスイッチ構造において、前記媒体転換インターフェース前方には、透明の絵図シート設置区を設置し、これにより絵図シートを設置することを特徴とする非接触式タッチスイッチ構造としている。
請求項１０の考案は、請求項９記載の非接触式タッチスイッチ構造において、前記絵図シート設置区は、前記外蓋板中央の陥没した階段状貫通窓中に設置し、前記絵図シート設置区前方には取り外し可能な透明シートを設置することを特徴とする非接触式タッチスイッチ構造としている。
請求項１１の考案は、請求項９記載の非接触式タッチスイッチ構造において、前記絵図シート外表側にラミネートフィルム層を直接設置し、後方は、背面接着剤により、前記媒体転換インターフェースの表面に直接粘着させることを特徴とする非接触式タッチスイッチ構造としている。
請求項１２の考案は、請求項９記載の非接触式タッチスイッチ構造において、前記絵図シート設置区は単方向開口の透明カバー体として構成することを特徴とする非接触式タッチスイッチ構造としている。
【手続補正３】
【補正対象書類名】実用新案登録請求の範囲
【補正対象項目名】請求項１
【補正方法】変更
【補正の内容】
【請求項１】
人体媒体感知方式により、制御電子回路は交流スイッチ電源に対して正確に切り替えを行い、
外蓋板、マイクロコンピューターコントロール電子回路、媒体転換インターフェース、起動スイッチ、電源切断器を備え、
前記外蓋板は、スイッチ電源線出口に対応して設置し、
前記マイクロコンピューターコントロール電子回路は、前記外蓋板の内側に設置し、
前記媒体転換インターフェースは、前記外蓋板の上に設置し、前記マイクロコンピューターコントロール電子回路に内接し、
前記起動スイッチは、一端が前記マイクロコンピューターコントロール電子回路と接続し、反対端には、制御接点を設置し、交流スイッチ電源線と接続し、それが接続する電気設備等の電気設備の通電タイミングを制御し、
前記電源切断器は、前記マイクロコンピューターコントロール電子回路と前記起動スイッチの制御接点の間に接続し、交流スイッチ電源線により、一般の市内電源と直接接続し電源を取得し、交流同期整流電圧安定を経て、内部電子回路の正常な運転を確保し、
こうして組み立て後のスイッチは別に電池を設置する必要なく、市内電源と接続すれば正常な作動が可能であることを特徴とする非接触式タッチスイッチ構造。